(57)【要約】【課題】送風手段とヒータを内蔵し食器を洗浄から乾燥まで行う食器洗浄乾燥機において、送風手段ひいては送風路の構造を簡単にして製造コストを低減し、小型化するとともに、ヒータに風を効率よく当てて乾燥むらをなくす。【解決手段】送風ファン２４を内包するファンケーシング２５を有する送風手段２３により発生した風を送風路３０を通して洗浄槽１９内へ導き、洗浄槽１９内へ送風した風を洗浄槽１９内に設けたヒータ２２により加熱する。送風手段２３および送風路３０を洗浄槽１９の底部に設けるとともに、送風路３０の出口３１をヒータ２２の長手方向延長線上に設け、洗浄槽１９の底部から上方へ向けて開口する。【選択図】  図１
2004147742.tif 000002
【特許請求の範囲】
【請求項１】
送風ファンを内包するファンケーシングを有する送風手段と、前記送風手段により発生した風を洗浄槽内へ導く送風路と、前記洗浄槽内に設け前記洗浄槽内へ送風した風を加熱するヒータとを備え、前記送風手段および送風路を前記洗浄槽の底部に設けるとともに、前記送風路の出口をヒータの長手方向延長線上に設け、前記洗浄槽の底部から上方へ向けて開口した食器洗浄乾燥機。
【請求項２】
送風路の出口に、吐出した風をヒータへ向けるキャップ部材を設けた請求項１記載の食器洗浄乾燥機。
【請求項３】
送風路の底部を、ファンケーシングの内壁底面より下方に設けた請求項１記載の食器洗浄乾燥機。
【請求項４】
ヒータの上方にヒータカバーを設け、送風路の出口に設けたキャップ部材の開口部を前記ヒータカバーの下方に向けた請求項１または２記載の食器洗浄乾燥機。
【請求項５】
送風ファンを内包するファンケーシングを有する送風手段を備え、前記送風ファンと対向するファンケーシングの内壁を洗浄槽の裏面で形成するとともに、前記送風ファンと対向する洗浄槽の裏面に送風ファンと所定の隙間を有するリブを設けた食器洗浄乾燥機。
【請求項６】
ファンケーシングに吸気口を設け、この吸気口はモータに隣接するとともに、その開口下端部を前記モータの取付位置より下方に設定した請求項１または５記載の食器洗浄乾燥機。
【発明の詳細な説明】
【０００１】
【発明の属する技術分野】
本発明は、送風手段とヒータを内蔵し食器を洗浄から乾燥まで行う食器洗浄乾燥機に関するものである。
【０００２】
【従来の技術】
従来、この種の食器洗浄乾燥機は図４および図５に示すように構成していた。以下、その構成について説明する。
【０００３】
図４および図５に示すように、給水経路１は、水道水を食器洗浄乾燥機本体２へ給水するもので、給水弁３によって給水を制御する。洗浄槽４は、食器洗浄乾燥機本体２の内部に設け、この洗浄槽４の内部に給水された水を貯水する貯水部５を設け、貯水部５に連通した水位センサ６を設けている。
【０００４】
貯水部５に貯水された水は、貯水部５に設けた温水ヒータ７で加熱されるとともに、循環ポンプ８で加圧され、複数個設けた洗浄ノズル９から食器かご１０内の食器に向けて噴射され、食器を洗浄するようにしている。排水ポンプ１１は洗浄槽４内の水を排出するものである。
【０００５】
ファンヒータ１２は、温風ヒータ１３と送風ファンを内蔵した送風手段１４とで構成し、ファンヒータ１２で発生した温風は送風路１５を通り、食器かご１０の食器に向けて洗浄槽４内に吐出するよう構成している。食器洗浄乾燥機本体２の前面にドア１６を開閉自在に設け、食器かご１０を出し入れできるようにし、ドア１６に蒸気口１７を設け、ファンヒータ１２より洗浄槽４内に吐出した温風を外部へ排出するようにしている。残菜フィルター１８は食器に付着していた残菜を捕捉するものである。
【０００６】
上記構成において動作を説明する。食器かご１０内に食器を配置して洗浄槽４内に収容し、運転を開始すると、給水弁３が開き、給水経路１を通して洗浄槽４内に給水される。給水された水は、洗浄槽４内の貯水部５に貯水され、水位センサ６によって所定の水位を検知すると給水弁３を閉じて給水を終了し、循環ポンプ８を駆動する。
【０００７】
これにより、貯水部５に貯水された水は、温水ヒータ７で加熱されるとともに、循環ポンプ８で加圧され、洗浄ノズル９から食器かご１０内の食器に向けて噴射され、食器を洗浄する。洗浄が終わると排水ポンプ１１によって洗浄槽４内の水を排出する。
【０００８】
洗浄が済むと乾燥行程に入り、ファンヒータ１２で発生した温風を送風路１５を通り洗浄槽４内に収容した食器かご１０の食器に向けて吐出して食器を乾燥し、蒸気口１７より温風を外部へ排出する。
【０００９】
また、他の従来例として、基本的な構成は上記従来例と略同じで、送風ファンを内蔵した送風手段を洗浄槽の背面に設置し、送風路の出口にダンパーを設けて蒸気や塵埃の侵入を防止している構成のものもある（例えば、特許文献１参照）。
【００１０】
【特許文献１】
特開平９−１０３４０２号公報（第２−３頁、図１）
【００１１】
【発明が解決しようとする課題】
しかしながら上記従来の構成では、ファンヒータ１２や送風路１５が洗浄槽４と完全に分離された構成であるため、構造が複雑で、部品点数が多く、製造コストがかかるだけでなく、食器洗浄乾燥機本体２内部で占有する空間が大きくなり、食器洗浄乾燥機本体２全体の大型化につながっていた。また、洗浄中に送風路１５に洗浄水が侵入した場合、ファンヒータ１２に洗浄水が達し、送風ファンを駆動するモータが損傷することがあった。
【００１２】
また、送風ファンを内蔵した送風手段を洗浄槽の背面に設置し、送風路の出口にダンパーを設けたものでは、送風路より送風ファンを内蔵した送風手段内に洗浄水が侵入しにくく、送風ファンを駆動するモータへの損傷にはつながらないが、送風手段を洗浄槽の背面に設置したり、送風路の出口にダンパーを設けることにより、構造が複雑で、機器全体の大型になるという問題を有していた。
【００１３】
しかも、洗浄槽内へ吐出した温風は蒸気口の方向へ向けられており、外部へ直接排気されやすく、食器の配置場所に起因する乾燥むらが生じやすかった。
【００１４】
本発明は上記課題を解決するもので、送風手段ひいては送風路の構造を簡単にして製造コストを低減し、小型化するとともに、ヒータに風を効率よく当てて乾燥むらをなくすことを目的としている。
【００１５】
【課題を解決するための手段】
本発明は上記目的を達成するために、送風ファンを内包するファンケーシングを有する送風手段により発生した風を送風路を通して洗浄槽内へ導き、洗浄槽内へ送風した風を洗浄槽内に設けたヒータにより加熱するよう構成し、送風手段および送風路を洗浄槽の底部に設けるとともに、送風路の出口をヒータの長手方向延長線上に設け、洗浄槽の底部から上方へ向けて開口したものである。
【００１６】
これにより、送風手段ひいては送風路の構造を簡単にできて製造コストを低減し、小型化できるとともに、ヒータに風を効率よく当てて乾燥むらをなくすことができる。
【００１７】
【発明の実施の形態】
本発明の請求項１に記載の発明は、送風ファンを内包するファンケーシングを有する送風手段と、前記送風手段により発生した風を洗浄槽内へ導く送風路と、前記洗浄槽内に設け前記洗浄槽内へ送風した風を加熱するヒータとを備え、前記送風手段および送風路を前記洗浄槽の底部に設けるとともに、前記送風路の出口をヒータの長手方向延長線上に設け、前記洗浄槽の底部から上方へ向けて開口したものであり、送風手段ひいては送風路の構造を簡単にできて製造コストを低減し、機器全体を小型化できるとともに、ヒータに風を効率よく当てて乾燥むらをなくすことができる。
【００１８】
請求項２に記載の発明は、上記請求項１に記載の発明において、送風路の出口に、吐出した風をヒータへ向けるキャップ部材を設けたものであり、キャップ部材によりヒータに一層効率よく風を当てることができるとともに、洗浄水が送風路に侵入するのを防ぐことができる。
【００１９】
請求項３に記載の発明は、上記請求項１に記載の発明において、送風路の底部を、ファンケーシングの内壁底面より下方に設けたものであり、送風路に洗浄水が侵入した場合に、洗浄水が送風手段に到達しにくくすることができ、送風ファンを駆動するモータが損傷するのを防止できる。
【００２０】
請求項４に記載の発明は、上記請求項１または２に記載の発明において、ヒータの上方にヒータカバーを設け、送風路の出口に設けたキャップ部材の開口部を前記ヒータカバーの下方に向けたものであり、ヒータで効率よく風を加熱できるだけでなく、食器に均一に風を当てることができるようになり、乾燥むらをなくすことができる。
【００２１】
請求項５に記載の発明は、送風ファンを内包するファンケーシングを有する送風手段を備え、前記送風ファンと対向するファンケーシングの内壁を洗浄槽の裏面で形成するとともに、前記送風ファンと対向する洗浄槽の裏面に送風ファンと所定の隙間を有するリブを設けたものであり、送風ファンの送風能力を低下させずに送風手段の構造を簡単にできる。
【００２２】
請求項６に記載の発明は、上記請求項１または５に記載の発明において、ファンケーシングに吸気口を設け、この吸気口は送風ファンを駆動するモータに隣接するとともに、その開口下端部を前記モータの取付位置より下方に設定したものであり、洗浄水がファンケース内に侵入しても、送風ファンを駆動するモータに洗浄水が触れることがなく、モータが損傷するのを防止できる。
【００２３】
【実施例】
以下、本発明の一実施例について、図面を参照しながら説明する。なお、従来例と同じ構成のものは同一符号を付して説明を省略する。
【００２４】
図１から図３に示すように、洗浄槽１９は、食器洗浄乾燥機本体２０の内部に設け、この洗浄槽１９の内部に給水された水を貯水する貯水部２１を設けている。この貯水部２１にヒータ２２を設け、貯水部２１に貯水された水を加熱するようにしている。
【００２５】
送風手段２３は、洗浄槽１９の底部後方に設け、送風ファン２４を内包するファンケーシング２５と、送風ファン２４を駆動するモータ２６とで構成している。ここで、送風ファン２４は略水平に設置した遠心ファンで構成し、主板２４ａが上側、羽根２４ｂが下側となっていて下方から吸気する。モータ２６は送風ファン２４の下側、すなわち吸気の入口側で回転軸を略鉛直方向にし、ファンケーシング２５の下方でファンケーシング２５にねじで固定するかファンケーシング２５に設けた爪で固定しており、送風ファン２４が吸引する風で冷却されるようになっている。ファンケーシング２５は平面的に見ると渦巻型の側壁を有しており、その底面は略水平である。
【００２６】
ファンケーシング２５の送風ファン２４に対向する内壁上面２７は洗浄槽１９の底部裏面で形成しており、送風ファン２４の主板２４ａと対向する洗浄槽１９の底部裏面に、送風ファン２４と所定の隙間を有するリブ２８を設けている。リブ２８は送風ファン２４の外径以下の直径を有する略円筒状のリブで構成しているが、略円筒状でなくてもそれに近い形であればよい。
【００２７】
洗浄槽１９の内底部は洗浄水が貯水部２１へ流れやすいように貯水部２１側へ傾斜を有しており、その結果、略水平に設置された送風ファン２４の主板２４ａの上側と洗浄槽１９の底部裏面との間にはくさび状の空間２９が生じるが、リブ２８の下端部と送風ファン２４の主板２４ａの上側との間でシール効果が生じ、空間２９を埋めるのと同じような効果がある。リブ２８の内側に複数のリブを格子状や放射状に設けたり、リブ２８の下端部を平面でつないでも同様の効果がある。
【００２８】
リブ２８を設けないで空間２９をそのまま放置すると、送風ファン２４で発生した風が空間２９へまわりこんで気流の乱れが生じ、送風ファン２４の送風能力が低下する。しかしながら、リブ２８の作用により、送風ファン２４で発生した風がくさび状の空間２９にまわりこまないので気流の乱れが生じず、送風ファン２４の送風能力は低下しない。送風ファン２４の主板２４ａとリブ２８との隙間は少ないほど効果は大きいが、製造上のばらつきも考慮して０．５〜５ｍｍくらいに設定するとよい。
【００２９】
これにより送風ファンの送風能力を低下させずに、ファンケーシング２５の内壁上面を洗浄槽１９の底部裏面で形成することができるようになる。また、洗浄槽１９の底部においてファンケーシング２５の位置を略水平な姿勢を維持したまま可能な限り上方へ配置することができる。
【００３０】
なお、本実施例では、送風手段２３を洗浄槽１９の底部後方に設けているが、送風手段２３を洗浄槽１９の背面に設け、ファンケーシング２５の内壁のうち、送風ファン２４の主板２４ａと対向する面を洗浄槽１９の背面で形成し、送風ファン２４と所定の隙間を有するリブ２８を設けてもよく、これにより、送風ファン２４の送風能力を低下させずに送風手段２３の構造を簡素化でき、全体を小型化することができる。
【００３１】
送風手段２３で発生する風は洗浄槽１９の底部の後方から前方に延びた送風路３０を通り、ヒータ２２の長手方向延長線上に設け洗浄槽１９の底部から上方へ向けて開口した送風路３０の出口３１から吐出される。送風路３０の出口３１は洗浄時の貯水部２１の水位より上方に設けており、洗浄水が送風路３０の内部へ侵入するのを防止している。また、送風路３０は洗浄槽１９の底部で貯水部２１に隣接して設けており、洗浄槽１９の側方にはみ出したりしていないので食器洗浄乾燥機本体２０の小型化に適している。
【００３２】
送風路３０の出口３１の上方にはキャップ部材３２を設けており、その開口部すなわち排気口３３はヒータ２２の方向へ向けている。また、排気口３３は送風路３０の出口３１より下方に設けているため、洗浄水が送風路３０に一層侵入しにくい構造となっている。
【００３３】
吸気口３４はファンケーシング２５から下方へ突出して設けており、平面的に見た形状は円弧状の開口部を有しており、その円弧状の開口部は送風ファン２４の外径より小さくしている。そして、吸気口３４の下端部に吸気口３４の開口部を覆うようにフィルタ３５を固定している。
【００３４】
送風ファン２４を駆動するモータ２６は平面的に見ると吸気口３４の内側にあり、吸気口３４と隣接している。吸気口３４の開口下端部３６、すなわちフィルタ３５の固定部はモータ２６の取付位置より下方に設けている。
【００３５】
ヒータカバー３７はヒータ２２を保護し、温風の流れ方を調整するもので、ヒータ２２の上方にヒータ２２を覆うように配置しており、排気口３３はヒータカバー３０より下方に設けている。ヒータカバー３０の材質は、線材、板金、耐熱性樹脂のどれであってもよい。
【００３６】
上記構成において動作を説明する。食器かご１０内に食器を配置して洗浄槽１９内に収容し、運転を開始すると、給水弁３が開き、給水経路１を通して洗浄槽１９内に給水される。給水された水は、洗浄槽１９内の貯水部２１に貯水され、水位センサ６によって所定の水位を検知すると給水弁３を閉じて給水を終了し、循環ポンプ８を駆動する。
【００３７】
これにより、貯水部２１に貯水された水は、循環ポンプ８で加圧され、洗浄ノズル９から食器かご１０内の食器に向けて噴射されて食器を洗浄し、貯水部２１に戻る経路で循環する。このとき、ヒータ２２で加熱されて温水化される。洗浄が終わると排水ポンプ１１によって洗浄槽１９内の水を排出する。
【００３８】
洗浄が済むと乾燥行程に入り、モータ２１を駆動し、送風ファン２４を回転させる。この送風ファン２４の回転により、吸気口３４よりフィルタ３５を介して吸気し、この吸気した風は、送風路３０、送風路３０の出口３１を通して、排気口３３から吐出され、排気口３３からヒータ２２の方向へ排気された風はヒータ２２で加熱され温風となって、食器かご１０内に配置した食器を乾燥し、蒸気口１７より外部へ排出される。
【００３９】
ここで、排気口３３から吐出された風はヒータカバー３０の下を通り、ヒータ２２で加熱される。ヒータカバー３０には開口部を随所に設けており、洗浄槽１９内の食器全体に均一に風を当てる役目をする。仮に、このヒータカバー３０がなくても、温風はヒータ２２の長手方向、すなわち貯水部２１の長手方向に沿って吐出されるので、ヒータ２２により効率よく加熱される。
【００４０】
また、ヒータ２２の長手方向、すなわち蒸気口１７とは垂直方向に温風が流れるので、蒸気口１７から外部へ直接に排気される風が少なくなり、内部の食器に効率よく温風を当てることができ、食器の配置場所に起因する乾燥むらをなくすことができる。
【００４１】
また、送風路３０は貯水部２１に隣接しているので、貯水部２１が部分的ではあるが二重構造となり、洗浄中においては加熱された洗浄水の保温効果をもたらす。
【００４２】
つぎに、上述のように、送風路３０の出口３１を洗浄時の貯水部２１の水位より上方に設け、洗浄水が送風路３０の内部へ侵入するのを防止しているが、仮に、送風路３０に洗浄水が侵入した場合を想定すると、送風路３０の底面の大部分はファンケーシング２５の内壁下面３８より下方に設けられており、これによって侵入した洗浄水を大量に貯水でき、ファンケーシング２５の内部に洗浄水は侵入しにくい。
【００４３】
また、洗浄槽１９の底部においてファンケーシング２５の位置を可能な限り上方へ配置することや、キャップ部材３２の効果と相まって、洗浄水はファンケーシング２５へ一層到達しにくくなる。
【００４４】
また、ファンケーシング２５から下方へ突出して設けた吸気口３４の開口下端部３６はモータ２６の取付位置より下方に設けているので、排気口３３から侵入した洗浄水が、万一、送風路３０の底部に貯水しきれずにファンケーシング２５まで到達した場合、吸気口３４からモータ２６の取付位置より下方へ排出されることになり、モータ２６に水が触れずモータが損傷しない。フィルタ３５の影響で侵入した洗浄水が吸気口３４から必ずしも鉛直下方へ排出されるとは限らないが、開口下端部３６がモータの取付位置より下方にあるため、モータ２６が濡れることはない。
【００４５】
一般的に、隈取コイルモータなどステータをむき出しにしたモータなどであれば、ステータより下方に開口下端部３６を設けておけばよい。また、開口下端部３６に固定されたフィルタ３５には開口下端部３６の開口形状より大きな固定代が一般的に設けられており、モータ２６をファンケーシング２５に取り付ける際、この固定代がモータ２６に触れたままになると、侵入した洗浄水で濡れることがあるが、本実施例によればそのようなことは生じにくい。
【００４６】
このように本実施例によれば、送風手段２３および送風路３０を洗浄槽１９の底部に設けるとともに、送風路３０の出口３１をヒータ２２の長手方向延長線上に設け、洗浄槽１９の底部から上方へ向けて開口したので、送風手段２３ひいては送風路３０の構造を簡単にできて製造コストを低減することができ、機器全体を小型化できるとともに、ヒータ２２に風を効率よく当てて乾燥むらをなくすことができる。
【００４７】
また、送風路３０の出口３１に、吐出した風をヒータ２２へ向けるキャップ部材３２を設けたので、キャップ部材３２によりヒータ２２に一層効率よく風を当てることができるとともに、洗浄水が送風路３０に侵入するのを防ぐことができる。
【００４８】
また、送風路３０の底部を、ファンケーシング２５の内壁底面より下方に設けたので、送風路３０に洗浄水が侵入した場合に、洗浄水が送風手段２３に到達しにくくすることができ、送風ファン２４を駆動するモータ２６が損傷するのを防止できる。
【００４９】
また、ヒータ２２の上方にヒータカバー３７を設け、送風路３０の出口３１に設けたキャップ部材３２の開口部、すなわち排気口３３をヒータカバー３７の下方に向けたので、ヒータ２２で効率よく風を加熱できるだけでなく、食器に均一に風を当てることができるようになり、乾燥むらをなくすことができる。
【００５０】
また、送風ファン２４と対向するファンケーシング２５の内壁を洗浄槽１９の裏面で形成するとともに、送風ファン２４と対向する洗浄槽１９の裏面に送風ファン２４と所定の隙間を有するリブ２８を設けたので、送風ファン２４の送風能力を低下させずに送風手段２３の構造を簡単にできる。
【００５１】
また、ファンケーシング２５に吸気口３４を設け、この吸気口３４は送風ファン２４を駆動するモータ２６に隣接するとともに、その開口下端部３６をモータ２６の取付位置より下方に設定したので、洗浄水がファンケース２５内に侵入しても、送風ファン２４を駆動するモータ２６に洗浄水が触れることがなく、モータ２６が損傷するのを防止できる。
【００５２】
【発明の効果】
以上のように、本発明の請求項１に記載の発明によれば、送風手段により発生した風を送風路を通して洗浄槽内へ導き、洗浄槽内へ送風した風を洗浄槽内に設けたヒータにより加熱するよう構成し、送風手段および送風路を洗浄槽の底部に設けるとともに、送風路の出口をヒータの長手方向延長線上に設け、洗浄槽の底部から上方へ向けて開口することにより、送風手段ひいては送風路の構造を簡単にできて製造コストを低減し、小型化できるとともに、ヒータに風を効率よく当てて乾燥むらをなくすことができる。
【図面の簡単な説明】
【図１】
本発明の一実施例の食器洗浄乾燥機の縦断面図
【図２】
同食器洗浄乾燥機の横断面図
【図３】
同食器洗浄乾燥機の縦側断面図
【図４】
従来の食器洗浄乾燥機の縦側断面図
【図５】
同食器洗浄乾燥機の縦断面図
【符号の説明】
１９  洗浄槽
２２  ヒータ
２３  送風手段
２４  送風ファン
２５  ファンケーシング
３０  送風路
３１  出口
【図１】
2004147742.tif 000003
【図２】
2004147742.tif 000004
【図３】
2004147742.tif 000005
【図４】
2004147742.tif 000006
【図５】
2004147742.tif 000007